Podtech/llm-jp-corpus-v4-ja_patent huggingface dataset:
(57)【要約】【課題】資産管理対象の通信機器の筐体から、外れることがなく、また表面が汚れたり、他のものに隠れたりしても、記録したＩＤ番号を読取ることができるような手段を用いて資産管理をするシステムを提供すること。【解決手段】ＩＤ番号を記録したＩＤチップ３を内蔵した筐体２を持った通信機器１と前記ＩＤチップ３のＩＤ番号読取装置４と資産管理センター１０のサーバー１１とから成り、ＩＤチップのＩＤ番号読取装置４は、通信機器の筐体の内蔵ＩＤチップへＩＤ番号読取信号を発信し、ＩＤチップから発信されたＩＤ番号を読込み、読込んだＩＤ番号を記憶し、記憶したＩＤ番号を資産管理センターのサーバーへ送信する機能を有し、資産管理センター１０のサーバー１１は、受信したＩＤ番号をデーターベース１２に格納し、このＩＤ番号を基に通信機器１の資産管理を行う機能を有する。【選択図】        図１
2004326651.tif 000002
【特許請求の範囲】
【請求項１】
ＩＤ番号を記録したＩＤチップを内蔵した筐体を持った通信機器と前記ＩＤチップのＩＤ番号読取装置と資産管理センターのサーバーとから成り、
ＩＤチップのＩＤ番号読取装置は、通信機器の内蔵ＩＤチップへＩＤ番号読取信号を発信する機能、ＩＤチップから発信されたＩＤ番号を読込む機能、読込んだＩＤ番号を記憶する機能、記憶したＩＤ番号を資産管理センターのサーバーへ送信する機能を有し、
資産管理センターのサーバーは、受信したＩＤ番号をデーターベースに格納する機能、このＩＤ番号を基に通信機器の資産管理を行う機能を有する、
ことを特徴とするＩＤチップを内蔵した筐体を持った通信機器の資産管理システム。
【発明の詳細な説明】
【０００１】
【発明の属する技術分野】
本発明は、ＩＤ番号を記録したＩＤチップを内蔵した筐体を持った通信機器の資産管理システムに関する。
【０００２】
【従来の技術】
従来物品を管理するのに、対象となる物品に該物品を識別するためのバーコードラベルを貼付し、このバーコードのＩＤ番号をバーコードリーダーで読み出して行うようにしたものがある（例えば、特許文献１参照）。
【０００３】
【特許文献１】
特開２０００−２８９８１０号公報
【０００４】
【発明が解決しようとする課題】
しかしながらこのバーコードは、貼付した物品から剥がれたり、表面が汚れたり、経年変化したり、また他の物により隠れたりして、バーコードのＩＤ番号が読取れなくなって、物品の管理に支障を来たすことがあった。
本発明は、このような点に鑑み、を識別するためのＩＤ番号を記録した物が、経年変化せず、物品から外れることがなく、また表面が汚れたり、他のものに隠れたりしても、該番号を読取ることができるように、物品を識別するためのＩＤ番号を記録したＩＤチップを用い、これを物品の筐体に内蔵しておき、そのＩＤ番号を読取って、該物品の資産管理をするシステムを提供することを目的とする。
【０００５】
【課題を解決するための手段】
上記目的を達成するために、本発明のＩＤチップを内蔵した筐体を持った通信機器の資産管理システムは、ＩＤ番号を記録したＩＤチップ３を内蔵した筐体２を持った通信機器１と前記ＩＤチップのＩＤ番号読取装置４と資産管理センター１０のサーバー１１とから成り、ＩＤチップのＩＤ番号読取装置４は、通信機器１の内蔵ＩＤチップ３へＩＤ番号読取信号を発信する機能、ＩＤチップ３から発信されたＩＤ番号を読込む機能、読込んだＩＤ番号を記憶する機能、記憶したＩＤ番号を資産管理センター１０のサーバー１１へ送信する機能を有し、資産管理センター１０のサーバー１１は、受信したＩＤ番号をデーターベース１２に格納する機能、このＩＤ番号を基に通信機器１の資産管理を行う機能を有する。
【０００６】
【発明の実施の形態】
本発明の実施の形態を実施例にもとづき図面を参照して説明する。
図１は本発明のＩＤチップ３を内蔵した筐体２を持った通信機器１の資産管理システムの概念図である。
図１において、１はＩＤ番号を記録したＩＤチップ３を内蔵した筐体２を持った通信機器、４は前記ＩＤチップ３のＩＤ番号読取装置、５はＩＤチップリーダー、６は通信部、１０は資産管理センター、１１はサーバー、１２はＤＢ（データーベース）、１３はパソコン（ＰＣ）である。
【０００７】
図２は本発明のＩＤチップのＩＤ番号読取装置４の構成図である。
このＩＤチップのＩＤ番号読取装置４は、ＩＤチップのＩＤ番号を読込み可能なＩＤチップリーダー５、外部の資産管理センター１０のサーバー１１と通信可能な通信部６、全体を制御する制御部７、ＩＤチップのＩＤ番号を記憶可能な記憶部８、電源部９からなり、通信機器１の筐体２の内蔵ＩＤチップ３へＩＤ番号読取信号を発信し（▲１▼）、ＩＤチップ３から発信されたＩＤ番号を読込み（▲２▼）、読込んだＩＤ番号を記憶し（▲３▼）、記憶したＩＤ番号を資産管理センター１０のサーバー１１へ送信する（▲４▼）。
【０００８】
図３はＩＤ番号読取装置３によるＩＤ番号の読込み処理フロー図である。
通信機器１の筐体２に内蔵したＩＤチップ３のＩＤ番号を読取る場合、ＩＤ番号読取装置４を通信機器１の筐体２に近づけて、ＩＤチップリーダー５からＩＤチップ３に対してＩＤ読取り信号を発信する（Ｓ３１）（図１の▲１▼）。
これによりＩＤチップ３からＩＤ番号が発信され、これをＩＤチップリーダー５で読込み（Ｓ３２）（図１の▲２▼）、読込んだＩＤ番号を記憶部８へ格納する（Ｓ３３）（図２の▲３▼）。
【０００９】
記憶部８へ格納したＩＤ番号は、通信部６を経由して適宜資産管理センター１０のサーバー１１へ送信される（Ｓ３４）（図１、図２の▲４▼）。
資産管理センター１０のサーバー１１はＩＤ番号読取装置４から受信したＩＤ番号をＤＢ１２に格納すると共に、このＩＤ番号を基に通信機器１の資産管理を行う。
【００１０】
【発明の効果】
本発明によれば、通信機器を識別するためのＩＤ番号を記録したＩＣチップを該通信機器の筐体に内蔵させたことにより、通信機器の筐体から外れることがなく、ＩＣチップの前面に他のものがあっても、該番号を読取ることができ、また経年変化もなく、通信機器の資産管理を行うことができる。
【図面の簡単な説明】
【図１】本発明のＩＤチップを内蔵した通信機器の資産管理システム概念図である。
【図２】本発明のＩＤ番号読取装置の構成図である。
【図３】本発明のＩＤ番号読取装置によるＩＤ番号の読込み処理フロー図である。
【符号の説明】
１  通信機器
２  筐体
３  内蔵ＩＤチップ
４  ＩＤ番号読取装置
５  ＩＤチップリーダー
６  通信部
７  制御部
８  記憶部
９  電源部
１０  資産管理センター
１１  サーバー
１２  ＤＢ
１３  ＰＣ
【図１】
2004326651.tif 000003
【図２】
2004326651.tif 000004
【図３】
2004326651.tif 000005
(57)【要約】      （修正有）【課題】情報を売買する場合、情報は、内容が解ったとたんに価値が無くなるので全情報を開示してから売買するわけにはいかない。そこで、一般的には、過去の提供情報を示すか、一定期間試用させて売買契約と課金をして情報提供またはデータベースへのアクセス権を与える。そかし、購入者から見ると料金は払ったが送られてくる情報は、必要なものが不足していたり、データベースにアクセスしても必要な情報が得られないことがある。【解決手段】売買しようとする情報そのものを一部伏せて表示して売買対象情報の内容を示し、課金完了後その伏せた部分を表示することにより解決できる。【選択図】なし【特許請求の範囲】
【請求項１】
情報を売買する場合情報の提供者は提供する情報の１部分を伏せて表示する。そしてその伏せられた部分を提供する条件を示す。情報を購入しようとするものは、その伏せられた部分以外の情報全体から判断して、伏せられた部分が提供されれば、その情報が全体として、購入条件に見合う価値があると判断すれば、提供者の求める条件を充足することにより伏せられた部分の情報を得る。一般的に、情報は、伏せられた部分を持ちながらインターネット上等に公開され、伏せられた部分に対する提供条件が表示されている。通常、伏せられた部分は契約および課金システムにリンクしおり、契約と課金が完了すれば、その伏せられた情報はＷＥＢページまたはメール等にて提供される。
【発明の詳細な説明】
【０００１】
【発明が属する技術分野】
本発明は、情報の内容を概略示すことによりその情報の価値判断が可能な状況にして購入者に提示することにより、購入者がその内容により購入か否かを決定出来る情報売買システムに関する技術分野である。
【０００２】
【従来の技術】
従来の情報売買は、会員制で、会費を払うことにより、提供者から一方的に電子メール等で情報が送られてくるのが一般的である。課金は、契約条件により決まるが、情報内容が不要な場合でも契約期間は購入者が購入を避けられない。
【０００３】
あるいは、会員制で会費を払うことによりＷＥＢページを通してデータベースにアクセスする方法を取得し、データベースにアクセスする。データベース上に必要な項目があればその情報を得ることが出来る。しかし、必要な情報が無くても会費の払い戻しは無い。
【０００４】
契約や課金の前段階で、過去に発信した電子メール等を見本として見たり、試用期間を設け、試用期間中にデータベースなり、過去の発信情報を参考にして情報を推定し判断材料とする。しかし、その情報は過去のものであり情報購入者は、契約後または情報購入後自分の必要とする情報と異なっていることがわかる例が多い。
【０００５】
この改善策として、売買する情報そのものを示して、売買するようにする。しかし情報そのものが全て公開されたらその時点で情報の価値が無くなってしまうので、情報の範疇や全体像がわかるが、それを利用しようとすると肝心の部分が伏せられているという状態で公表する。その伏せられている肝心の情報部分を入手したい場合は、要求されている契約および課金に応じることにより入手する。
【０００６】
【発明が解決しようとする課題】
解決しようとする問題点は、情報を売買するに当たって情報価値を保ちつつ、購入者に購入価値があるか否かを判断する方法を提供するものである。
【０００７】
【課題を解決するための手段】
本発明は、情報の一部を伏せて表示し課金終了後明示することにより売買対象情報の実物見本を示すとともに課金終了後でなければ伏せられた部分の情報を入手できないようにした情報売買システムを最も主要な特徴とする。
【０００８】
【発明の実施の形態】
重要な情報部分を伏せて、その伏せた部分を提供する条件を明示して情報を公開することにより情報入手者にその情報を対価を払って入手する価値があるか判断できるようにした情報情報取引システムを実現した。
【０００９】
【実施例】
「廃棄物１と２のＡ工場での処理費はトン当たり▲１▼円と▲２▼円である。▲１▼部分の具体的数値をお知りになりたければ、▲１▼の部分をクリックして示される契約条件にご同意の後１００００円の課金を承認下さい。▲２▼部分の具体的数値をお知りになりたければ、▲２▼の部分をクリックして示される契約条件にご同意の後２００００円の課金を承認下さい。」
という形式で情報を公開する。情報購入者が▲１▼の部分の情報を入手したければ、▲１▼部分をクリックするとハイパーリンクにより契約および課金システムにジャンプし、課金を了承すると▲１▼をクリックした場合は１００００円が課金される。課金完了後、新しいＷＥＢページにジャンプし、そこには▲１▼の部分のマスキングの無い情報  「廃棄物１と２のＡ工場での処理費は３２５０円と▲２▼円である。▲２▼部分の具体的数値をお知りになりたければ、▲２▼の部分をクリックして示される契約条件にご同意の後２００００円の課金を承認下さい。」という情報が表示されている。
【００１０】
ここで▲２▼の部分の情報も必要ならば  ▲２▼の部分をクリックすることにより同様に課金システムにジャンプし、課金完了後新しいＷＥＢページにて▲２▼の部分のマスキングの無い情報  「廃棄物１と２のＡ工場での処理費は３２５０円と６５００円である。」が入手できる。
【００１１】
もちろん、最初から「  廃棄物１と２のＡ工場での処理費は▲１▼円である。
▲１▼部分の具体的数値をお知りになりたければ、▲１▼の部分をクリックして示される契約条件にご同意の後２５０００円の課金を承認下さい。」
という形式で情報を公開すれば課金の過程を一度で済ますことができる。そして、「廃棄物１と２のＡ工場での処理費は３２５０円と６５００円である。」という情報に一度で到達するようにもできる。
【００１２】
また、課金完了後の情報伝達方法としては事前に登録してあるか、課金時の過程で登録した情報購入者のメールアドレス宛に電子メールで伏せられた部分の情報または伏せられた部分の無い全情報を送付する方法等もある
【００１３】
なお、この情報売買システムは、会員制と重複して適用してもなんら問題を生じないだけでなく、会員登録時に契約を済ますことにより、以後課金だけの工程にすることができる。
【００１４】
また、この情報売買システムは、情報を売るときばかりではなく、自分が欲しい情報を求める場合にも同様に使用可能である。
【発明の効果】
以上説明したように本発明の情報売買システムは情報のの内容を理解できるようにしたうえで情報を売買するので情報を購入してみたが購入者の期待していたものと異なるということを減少させることが出来る。
(57)【要約】【課題】単純な構造を用いて、好みに合わせて心地よい音色と騒音のような雑音とを切り替えることができ、戸を静かに開けた時でも音が鳴るようなベルを考える。【解決手段】固定枠にゴムシートを取り付け、開閉部にはオルゴール付ノイズベルを設置する。オルゴール付ノイズベルの先端には切り替えレバーと回転軸と外部ギアが備えられ、ゴムシート上を外部ギアが回転移動することにより、オルゴールのゼンマイを巻き音色が鳴り響く。また、羽車付ノイズ用ギアを介してノイズ棒が羽車を叩き、ノイズを発生させることができる。【選択図】      図１
2004326065.tif 000002
【特許請求の範囲】
【請求項１】
固定枠と開閉部の動作を利用してオルゴール付ノイズベルを鳴らすもので、一方にはゴムシートを取り付け、もう片方にはオルゴール付ノイズベルを設置する。オルゴール付ノイズベルの先端には回転軸と外部ギアがついており、ゴムシート上を外部ギアが回転移動することにより内部ギアを回しオルゴール用ギアを介して、腕時計と同じ自動巻きギアにより、ゼンマイを巻き音色が鳴り響く。また、切り替えレバーにより羽車付ノイズ用ギアを介して、ノイズ棒が羽車を叩くことにより、ノイズを発生させることができることを特徴とするオルゴール付ノイズベル。
【発明の詳細な説明】
【０００１】
【発明の属する技術分野】
本発明は、玄関戸などの開閉部に取り付け、オルゴールまたはノイズを発生させるためのオルゴール付ノイズベルに関する。
【０００２】
【従来の技術】
従来の技術は、鈴を利用するものが多く（例えば、特許文献１参照。）ある。以下、図１により従来の技術について述べると、戸を静かに開けた場合には鈴がならない場合がある。
【特許文献１】実開平０６−０７８９９５号公報（第２頁、図１）
【０００３】
【発明が解決しようとする課題】
軽くて単純な構造を用い、好みに合わせて心地よい音と、雑音のようなノイズに切り替えができ、戸を静かに開けた場合でも音が鳴るベルを考える。
【０００４】
【課題を解決するための手段】
本発明のオルゴール付ノイズベルは、固定枠と開閉部の動作を利用してオルゴール付ノイズベルを鳴らすもので、一方にはゴムシートを粘着剤を用いて取り付け、もう片方にはオルゴール付ノイズベルを粘着剤を用いて設置する。オルゴール付ノイズベルの先端には回転軸と外部ギアが備えられ、ゴムシート上を外部ギアが回転移動することにより内部ギアを回しオルゴール用ギアを介して、腕時計と同じ自動巻きギアによりオルゴールのゼンマイを巻き音色が鳴り響く。また、切り替えレバーにより羽車付ノイズ用ギアを介して、ノイズ棒が羽車を叩くことによりノイズを発生させることができる。
【０００５】
本発明のオルゴール付ノイズベルは、設置場所によっては引き戸の片側が開かなくなってしまう。しかしながら、どんなに静かに開けてもノイズが鳴ることにより防犯にも役立つものである。
【０００６】
また、オルゴール付ノイズベル全体をかぶせるメガホンを取り付けることで、より大きな音で知らせることができる。
【０００７】
固定枠に取り付けたゴムシートとオルゴール付ノイズベルとの高さ調節は、厚みの違う粘着テープによりおこなうと良い。
【０００８】
【発明の実施の形態】
図１と図２は本発明のオルゴール付ノイズベルの好適な実施の形態を示し、図１は玄関引き戸に設置する場合の一つの例であり、正面透視図である。図２はオルゴール付ノイズベルの裏面内部透視図である。以下に、このオルゴール付ノイズベルを説明する。
【０００９】
固定枠１０の上部にゴムシート１を粘着剤により取り付け、開閉部１１の上端にはオルゴール付ノイズベル２を設置する。オルゴール付ノイズベル２の先端には切り替えレバー５付きの回転軸３と外部ギア４が備えられ、ゴムシート１上を外部ギア４が回転移動することにより内部ギア６を回し、オルゴール用ギア７を介して、腕時計と同じ自動巻きギアによりオルゴールのゼンマイを巻き音色が鳴り響く。また、切り替えレバー５により羽車付ノイズ用ギア８を介してノイズ棒９が羽車を叩くことによりノイズを発生させることができる。
【００１０】
【発明の効果】
以上説明したように、本発明のオルゴール付ノイズベルは、オルゴール用のときには美しい音色を聞かせ、ノイズ用のときはうるさい音がして静かに開けた時でも、開けた瞬間から人が来たことを知らせてくれるものである。
【図面の簡単な説明】
【図１】本発明のオルゴール付ノイズベルの正面透視図である。
【図２】本発明のオルゴール付ノイズベルの裏面内部透視図である。
【符号の説明】
１      ゴムシート
２      オルゴール付ノイズベル
３      回転軸
４      外部ギア
５      切り替えレバー
６      内部ギア
７      オルゴール用ギア
８      羽車付ノイズ用ギア
９      ノイズ棒
１０    固定枠
１１    開閉部
【図１】
2004326065.tif 000003
【図２】
2004326065.tif 000004
(57)【要約】【課題】清酒を贈答品として販売する時にお客様の気持ちをより深く表現として現わせ、より効果的、より持続的に贈り先に表現できる付加価値を付けた販売方法は無いものかと考えた。勿論、お客様に対して時間的に待たせることなく出来る付加価値販売方法はないものかと考えた。【解決手段】商品には普通、銘柄名のラベルが主ラベルとして出荷時点で既に付いているものであるが、そのような銘柄ラベルの無い製品の出荷を要請し、伝えたいメッセージを主ラベルとして即時加工して貼り付けることにより感謝、感動の付加価値を付けて販売するという販売手法である。【選択図】図２
2004326060.tif 000002
【特許請求の範囲】
【請求項１】
製品、酒税法上、記載必要な全ての義務事項のみが表記された表示ラベル以外はラベルが無い清酒を酒造会社に出荷依頼することを特徴とする。
【請求項２】
小売店が販売する時点において、送り主が贈答先に伝えたい感謝や感動の言葉の代表的な葉書状メッセージをあらかじめファイルやパソコンにて各種文面用意し、その中から選択いただいたシールラベルをその場にてお客様を待たせることなく、ただちにラベル無し商品に貼り付けたり、その場でただちにシール印刷することにより主ラベルのメッセージ化を行い、お客様を待たせることなく、感謝、感動、感激の伝言メッセージ的付加価値を付けて販売する販売方法。
【発明の詳細な説明】
【０００１】
【発明の属する技術分野】
この発明は清酒贈答品等の販売における感情、感動を伝えるメッセージラベルという付加価値を販売時点にて付加する販売技法に関する
【０００２】
【従来の技術】
従来の清酒ラベルはメーカー出荷段階より銘柄として既に商品に貼り付けてあり、当然、銘柄名において商取引が行なわれている。特定者向けにオリジナルラベル物を出荷していてもメーカーが予約受注し、完成後に出荷が行われ、小売店にて商品購入時にすぐに個別対応するメッセージラベルのようなものはなく既成品にただラベルを貼るだけの形式にしかできず、主ラベルがメッセージとなる今回の発明のイメージとは全く違うものとなってしまう。
【０００３】
【発明が解決しようとする課題】
しかしながら、以上の従来技術によれば、商品のラベル自体はその商品のイメージであったり、中味の商品保証的役割を担っているのである。消費者１人１人個々の心情を伝えたいメッセージとしての機能とは別物である。例えばメッセージカードを添えたとしても、一過性にとどまってしまうことも多い。
そこで、この発明は、消費者が商品購入時その時点で商品ラベル自体に個人の心情のメッセージを主ラベル化することが出来、送り先に対して、そのメッセージを商品消費中、常に主ラベルとして表示続け、感謝、感激メッセージを持続的に伝え続けることが出来る酒メッセージラベルであるという付加価値差別化販売を提供することを課題とする。
【０００４】
【課題を解決するための手段】
以上の課題を解決するために、請求項１の発明は、製造メーカーに対して製品出荷上必要な表示以外のラベルの無い酒の出荷要請というコロンブスの卵的発想手法である。
また、請求項２の発明は、感謝、感激、感動のメッセージを購買者の方に待たせることなくその時点において主ラベル化するということを特徴とする付加価値販売手法である。
【０００５】
【発明の実施の形態】
この発明の一実施形態を商品の表面を図１、裏面を図２に示す。
酒類出荷上必要事項の記載を満たした他ラベル無しの商品を出荷してもらう。小売店は幾種かの代表的、感謝、感激、感動、メッセージラベルのサンプルファイルとその酒ラベルシールを在庫し、お客様にファイルから選んでもらったラベルシールをその場にて酒に貼り付けたり、お客様自身がメッセージを書き込んだり、サインしたり、パソコン上のものを印刷して、その場でただちに対応する事でメッセージを主ラベル化する。
【０００６】
【実施形態の効果】
この実施形態によれば、まごころである心情を伝えるギフトにおいてはメッセージを商品の中央で目立たせ、しかも消費時は常にラベルとして感動を伝え続けることが出来るという大きな付加価値がある。そのようなオンリーワンラベルをお客様に待たせることなくその場にて提供できるということは利用者にも販売者にとっても他者との大きな差別化になり、販売上たいへん有効である。
【０００７】
【他の実施形態】
図２の実施形態では、主ラベルはメッセージであるが、他のオリジナルなラベルであっても良い。
【０００８】
【発明の効果】
以上説明したように、この発明によれば、清酒ギフト販売等において、お客様を待たせることなく、主ラベルをオリジナルメッセージ化し、送り先様に対し常にメッセージ表示できる感動、感激商品という付加価値を付け加えた贈答品が出来上がる。販売者にとっては競合他者との大きな差別化になり、大変、有利で有望な販売方法である。
【０００９】
また、販売店独自や季節毎、祭事毎のラベルなど思いのまま１本から簡単に独自作成することも出来る汎用性の高い販売方法でもある。
【図面の簡単な説明】
【図１】この発明の商品入荷時点での実施図で、製品必要上のラベル表示を示す。この図の反側面は販売前のラベルの無い状態にある。
【図２】販売時点において、図１の商品の反側面にこの発明の一実施形態を施した図である。
【符号の説明】
１  製品出荷上必要なラベル
２  加工処理したメッセージラベル
【図１】
2004326060.tif 000003
【図２】
2004326060.tif 000004
(57)【要約】【課題】昨今の自動車産業のエンジンの性能とステレオの性能は目をみはるばかりである。しかし、安全性が増したとは言えない点は加速する自動車が増えたことによって人間の判断の意識がついていかず、ステレオが高音質になればなるほど、ボリュームを上げて聞いてしまい運転中の注意力散漫になる。オーディオなどをかけていると、走行速度が分かりにくくなる危険性もある。【解決手段】自動車の操縦装置、アクセル、ハンドル、ブレーキ、クラッチにセンサーを設け、従来の操縦による信号をコンピューターに送り、操縦にあった自動車機関の音をステレオ音響として、臨場感を伴って聞こえるように車内に出力する。この発明によって課題の全ての危険性の回避につながり、運転に集中させることが出来る。特に眠気・高齢者の運転などに多大な効果を期待できる。【選択図】図１
2004326057.tif 000002
【特許請求の範囲】
【請求項１】
自動車の操作時に生ずる操縦装置の変化をコンピューターへ伝える手段と自動車の走行によって自動車内外に発生する音を再現する音源と、操縦装置の変化に伴い音源を選択するコンピューターと
前記選択された音源を拡大して出力する音響装置を備えた自動車音再現装置。
【請求項２】
自動車の稼動時に生ずる操縦装置の変化をコンピューターへ伝える手段と自動車の走行によって自動車内外に発生する音を再現する音源と、操縦装置の変化に伴い音源を選択するコンピューターと
前記選択された音源を拡大して出力する音響装置を備えた自動車音再現装置。
【請求項３】
自動車が走行することによって伴う音源を拡大して出力する音響装置を備えた自動車音再現装置。
【発明の詳細な説明】
【０００１】
【発明の属する技術分野】
本発明は、自動車の操縦に関しての体感装置に関する。
【０００２】
【従来の技術】
従来の技術は、現在自動車の防音性は非常に発達しており、自動車自身のエンジンなどの音は自動車内部には遮断され静かな車内環境が実現できている。
【０００３】
【発明が解決しようとする課題】
暴走行為で大きな音を出す事によって満たされている若者のスピード欲求、スリル欲求をこの発明で充足させることによって、迷惑極まりない暴走行為の解決が最大限安全な形で実現される。今後ＣＯ２排ガス規制や省エネ志向によって、さらに自動車の防音性は高まると思われる。
本発明によって単純操縦である運転の集中力を高める。
【０００４】
【課題を解決するために手段】
本発明は自動車の操縦装置に装置の変化を感知する機械を設置しコンピューターによって車内へ操縦に見合った音を拡大した形で出力する仕組みを備えたものである。
【０００５】
【発明の実施の形態】
以下、本発明の実施の形態を図１に基づいて説明する。
【０００６】
【実施例】
図を参照しながら本発明の実施例について説明する。
図１は本発明の実施例の簡単な構成図である。
【０００７】
運転者が直接操作する操縦装置（アクセル、ブレーキ、ハンドル、クラッチ、ギャシフトレバー等）から、操縦による変化を感知して電気信号に変換し、コンピューターへ操縦情報を伝達する。
受け取った操縦情報を基にコンピューターは、躍動感を持った音源を操縦に見合うように選択し、音響装置へ電気信号として送信し、音響装置を通じて車内に出力される。
【０００８】
前記の音源としては、世界の名車の運転音、かつ名ドライバーの運転音を採用することで、車種、ドライバーに関係なく、自動車本来の走る喜びを可能な限り実現できるようになり注意力散漫の防止に大きな効果が期待できる。
【０００９】
また、前記のコンピューターに関しては、操縦者のスピード感、緊張感を増大させるため、実際の運転速度に対する運転音よりも、数倍早い運転音を選択するようにする。
【００１０】
【発明の効果】
現在、暴走行為で大きな音を出す事によって満たされている若者のスピード欲求、スリル欲求をこの発明で充足させることによって、迷惑極まりない暴走行為の解決が最大限安全な形で実現される。
この発明は、課題の全ての危険性の回避につながり、運転に集中させ、特に眠気、高齢者の運転などに多大な効果を期待できる。
【００１１】
【図面の簡単な説明】
【図１】は本発明であるシステムをチャート図として表している。
【図１】
2004326057.tif 000003
(57)【要約】【課題】耐水性がよく、製造が簡単で、安価につくと共に、レーザープリンター等の高速高温印刷複写機を使用しても、カール、紙詰まり、重ね送りをすることなく、短時間に多量印刷複写ができるようにした粘着剤付き耐水ラベルシートを提供する。【解決手段】表面１０１に、静電防止とトナ定着用の耐水耐熱コーティング層１１を形成した、透明な、厚み１０〜５０ミクロンの、耐水耐熱合成樹脂フィルム１０の裏面１０２に、コッブ吸水度が３０ｇ／ｍ２  以下の耐水紙２０であって、紙厚が３５〜８０ミクロンのものを、ドライラミネートし、前記耐水紙２０の裏面２２に、粘着剤３０を塗布して、表面４１にシリコーン５０を被覆した剥離紙４０に、剥離可能に粘着させたもの。【選択図】      図１
2004326022.tif 000002
【特許請求の範囲】
【請求項１】
表面に、静電防止とトナ定着用の耐水耐熱コーティング層を形成した、透明な、厚み１０〜５０ミクロンの、耐水耐熱合成樹脂フィルムの裏面に、コッブ吸水度が３０ｇ／ｍ２  以下の耐水紙であって、紙厚が３５〜８０ミクロンのものを、ドライラミネートし、前記耐水紙の裏面に、粘着剤を塗布して、シリコーン被覆した剥離紙に、剥離可能に粘着させたことを特徴とした粘着剤付き耐水ラベルシート。
【発明の詳細な説明】
【０００１】
【発明の属する技術分野】
本発明は、主として、バーコードラベルや、価格ラベルに使用される粘着剤付き耐水ラベルシートに関するものである。
【０００２】
【従来の技術】
従来の粘着剤付きバーコードや価格ラベルシートは、耐水性ラベルにするため、白色の耐水耐熱合成樹脂フィルムを使用していたが、高価につく欠点があった。そこで、本発明者は、安価な透明の耐水耐熱合成樹脂フィルムと耐水紙とをラミネートしたものに代えて、コスト引き下げに成功すると共に、上記白色フィルムを使用した場合と変わらない耐水性をラベルシートに賦与することに成功した。
【０００３】
【発明が解決しようとする課題】
本発明は、耐水性がよく、製造が簡単で、安価につく粘着剤付き耐水ラベルシートを提供するものである。
また、本発明は、レーザープリンター等の高速高温印刷複写機を使用しても、カール、紙詰まり、重ね送りをすることなく、短時間に多量印刷複写ができるようにした粘着剤付き耐水ラベルシートを提供するものである。
【０００４】
【課題を解決するための手段】
本発明粘着剤付き耐水ラベルシートは、上記課題を達成するため、図１に示すように、表面１０１に、静電防止とトナ定着用の耐水耐熱コーティング層１１を形成した、透明な、厚み１０〜５０ミクロンの、耐水耐熱合成樹脂フィルム１０の裏面１０２に、コッブ吸水度が３０ｇ／ｍ２  以下の耐水紙２０であって、紙厚が３５〜８０ミクロンのものを、ドライラミネートし、前記耐水紙２０の裏面２２に、粘着剤３０を塗布して、表面４１にシリコーン５０を被覆した剥離紙４０に、剥離可能に粘着させたものである。
本発明において、耐水紙は、公知のものがすべて使用できるが、特開２００３−２７３９３号公報、特開２００２−６９８９０号公報、特開２０００−８０５９５号公報等に示されるように、耐水紙の耐水度を表示するいわゆるコッブ吸水度が、３０ｇ／ｍ２  以下が必要で、使用する印刷複写機のトナ定着温度、印刷複写速度、ラベルシート、粘着剤層及び剥離紙等の厚み等から耐水紙が具体的に決められる。
また、本発明において、前記耐水紙は、上面に、ドライラミネートされる、透明の耐水耐熱合成樹脂フィルムは、耐熱温度が１５０〜２００℃のポリエチレンテレフタレートフィルム等が好ましい。また、前記耐水紙の下面に塗布される粘着剤は、アクリル樹脂系等の公知のもので、厚みは１０〜２５ミクロンが好ましく、剥離紙は通常のものでよく、耐水紙を用いた場合は、高速高熱印刷複写してもカールしない。さらに、剥離紙に塗布されるシリコーン塗布層の厚みは３ミクロン以下の範囲にあることが好ましい。
【０００５】
【発明の実施の形態１】
本発明の実施の形態が図１に示されている。
本発明の実施例は、透明耐水耐熱フィルム１０と、この裏面にドライラミネートした耐水紙２０と、その裏面に塗布された粘着剤層３０と、その下面に剥離可能に粘着した剥離紙４０とからなっている。
透明フィルム１０は、表面１０１に静電防止とトナ定着用のコーティング処理をした厚み３ミクロンの公知の耐水耐熱コーティング層１１を形成した、厚み１２ミクロンのポリエチレンテレフタレートフィルムからなる約２００℃の耐熱温度を有する耐水耐熱合成樹脂フィルムである。
耐水紙２０は、紙厚が３５〜８０ミクロンで、コッブ吸水度が１０ｇ／ｍ２  の耐水性を有するもので、上面２１に透明フィルム１０がドライラミネートされている。
粘着剤層３０は、耐水紙の下面２２に厚み２０ミクロンの公知のアクリル樹脂系粘着剤で塗布されたものである。
剥離紙４０は、表面４１に厚み１ミクロンのシリコーン層５０を塗布した、厚み８４ｇ／ｍ２  の耐水紙で、耐水度はコッブ吸水度が３０ｇ／ｍ２  である。
従って、高速高温のレーザープリンターで印刷複写しても、透明フィルム１０、耐水紙２０及び剥離紙４０は、水分の放出はなく、カール、紙づまり、重ね送りの障害は発生しない。
また、本粘着剤付き耐水ラベルシートの剥離紙４０を剥離して、ラベルを貼着すれば、ラベルは、表面の耐水紙が透明耐水耐熱フィルムで被覆され、側面の耐水紙の切断面は、紙厚が薄くかつ樹脂含浸しているため、水の滲透はなく、更に、耐水紙の裏面は粘着剤層で被覆されて粘着されると共に、粘着剤の一部が耐水紙の切断面を被覆するので、本発明実施品は粘着剤付き耐水ラベルとして従来の白色耐水耐熱合成樹脂製ラベルと比べ何ら遜色はない。
【０００６】
【発明の効果】
以上のように、本発明品は、安価な上に、防水性がよく、また、高速高熱印刷複写機で多量印刷してもラベルとしてカールその他の支障を起こさない。
【図面の簡単な説明】
【図１】本発明の実施の形態を示す部分拡大断面図である。
【符号の説明】
１０      透明耐水耐熱合成樹脂フィルム
１０１    透明耐水耐熱合成樹脂フィルムの表面
１０２    透明耐水耐熱合成樹脂フィルムの裏面
１１      コーティング層
２０      耐水紙
２２      耐水紙の裏面
３０      粘着剤
４０      剥離紙
４１      剥離紙表面
５０      シリコーン層
【図１】
2004326022.tif 000003
(57)【要約】【課題】ＯＳやアプリケーションによるメモリーカードの内容の変更を禁止するメモリーカードリーダ装置を提供する。【解決手段】本体１内のメモリカードコントローラ２にメモリカードの制御装置Ａ〜Ｃにおけるデータの書き込み禁止信号を、本体１から本体１とＵＳＢやＩＥＥＥ１３９４等のインターフェースで接続されたホストＰＣ３のＯＳやアプリケーションに送信するのをＯＮ／ＯＦＦするスイッチＳＷ１〜４を設け、例えばＳＷ１をＯＮにして制御装置Ａに接続されたメモリーカードを書込み禁止にした場合、ホストＰＣ３のＯＳ又はアプリケーションから書込み信号がメモリーカードコントローラ２に送信されたときは、メモリーカードコントローラ２はホストＰＣ３のＯＳ又はアプリケーションに制御装置Ａに接続されたメモリーカードは書込み禁止であることを告知する信号を送信する。【選択図】        図１
2004326501.tif 000002
【特許請求の範囲】
【請求項１】
取扱者がスイッチなど外的手段によって指定した時、ホストからの書込み信号に対してメモリーカードへの書込み禁止信号をホストへ送信する書込み禁止手段を持つメモリーカードコントローラを設けたことを特徴とするメモリーカードリーダ装置。
【発明の詳細な説明】
【０００１】
【産業上の利用分野】
本発明は、メモリーカードのリード・ライトを行うメモリーカードリーダ装置に関するものである。
【０００２】
【従来の技術】
従来、繰り返し記録可能な不揮発性のメモリーカードには、その大きさの制限などにより、メモリーカード自体に取扱者が書き込みを禁止にする手段を設けてないものがあるが（例えば、非特許文献１参照。）、このようなメモリーカードを用いた場合、従来のメモリーカードリーダ装置では、メモリーカードへの書き込みを禁止はできなかった。
【０００３】
そのため、このような書きこみを禁止する手段を持たないメモリーカードを使用した場合、メモリーカードリーダ装置を使用してメモリーカード内の情報を利用しようとするオペレーティングシステム（以下、ＯＳという。）やアプリケーションによっては、メモリーカード内の情報を自らのＯＳやアプリケーションで利用しやすいように情報を加工し、さらには元からあったメモリーカード内の情報を自動的に書き換えてしまうことが行われ、取扱者がメモリーカード内の情報の読み込みのみを目的としてメモリーカードをメモリーカードアクセス装置に取り付けたにもかかわらず、取扱者の意図に反して情報を書き換えてしまい、別のＯＳやアプリケーションでの情報の利用ができなくなってしまうという問題が生じている。
【０００４】
例えば、最近デジタルカメラの普及により、写真のプリントサービス利用客が増加しているが、利用者からメディアのデータが破壊される事故が報告されている。
【０００５】
その原因は、タイミングによるＯＳの予期せぬ書き込みが原因のようで事故防止のためデバイス自体でメディア書き込み禁止属性を設定できる手段の出現が望まれていた。
【０００６】
【非特許文献１】
Ｃｏｍｐａｃｔ  Ｆｌａｓｈ  Ａｓｓｏｃｉａｔｉｏｎ、ＣＦ＋  ａｎｄ  Ｃｏｍｐａｃｔ  Ｆｌａｓｈ  Ｓｐｅｃｉｆｉｃａｔｉｏｎ  Ｒｅｖｉｓｉｏｎ  １．４、［ｏｎｌｉｎｅ］、１９９９年７月２２日、［２００３年２月１０日］、インターネット＜ＵＲＬ：ｈｔｔｐ：／／ｗｗｗ．ｃｏｍｐａｃｔｆｌａｓｈ．ｏｒｇ／ｓｐｅｃｄｌ１．ｈｔｍ＞
【０００７】
【発明が解決しようとする課題】
そこで本発明は、ＯＳやアプリケーションによるメモリーカードの内容の変更を禁止するメモリーカードリーダ装置を提供することを課題とするものである。
【０００８】
【課題を解決するための手段】
本発明は、上記課題を解決するためになされたもので、取扱者がスイッチなど外的手段によって指定した時、ホストからの書込み信号に対してメモリーカードへの書込み禁止信号をホストへ送信する書込み禁止手段を持つメモリーカードコントローラをメモリーカードリーダ装置に設けるようにしたものである。
【０００９】
【実施例】
図１は、本発明の実施例のブロック図を示すもので、１はメモリーカードリーダ装置の本体、２はメモリーカードコントローラ、３はホストＰＣ、Ａ，Ｂ，Ｃは各種メモリーカードの制御装置である。ＳＷ１〜ＳＷ３はそれぞれ制御装置Ａ〜Ｃに接続されたメモリーカードの書込み禁止をＯＮ・ＯＦＦするスイッチ、ＳＷ４は制御装置Ａ〜Ｃの全ての書込み禁止を一括でＯＮ・ＯＦＦするスイッチである。
【００１０】
本体１はホストＰＣ３とＵＳＢやＩＥＥＥ１３９４等のインターフェースで接続され、例えばＳＷ１をＯＮにして制御装置Ａに接続されたメモリーカードを書込み禁止にした場合に、ホストＰＣ３のＯＳ又はアプリケーションから書込み信号がメモリーカードコントローラ２に送信されたときは、メモリーカードコントローラ２はホストＰＣ３に書込み禁止である信号を送信する。
【００１１】
図２，３は上記書込み禁止処理によるフローチャートを示すもので、ホストＰＣ３のＯＳ又はアプリケーションから書込み信号を受信したメモリーコントローラ２は、書込み禁止スイッチのＯＮ・ＯＦＦを判断し、例えば書込み禁止スイッチＳＷ１がＯＮの場合は、図２に示すように、そのメモリーカードに対しては書き込み動作を行わずに、オペレーティングシステムまたはアプリケーションに対して書込み禁止状態であることを通知する。
【００１２】
同様にメモリーカードの制御装置Ｂ，Ｃを書込み禁止にする場合は、ＳＷ２，ＳＷ３をそれぞれＯＮにし、制御装置Ａ，Ｂ，Ｃを全て書込み禁止にしたい場合はＳＷ４をＯＮしすることで、ホストＰＣ３のＯＳ又はアプリケーションによる不要なデータの書込み又はデータの改竄を防止することができる。
【００１３】
【発明の効果】
以上、本発明によればメモリーカード自体に取扱者が書き込みを禁止にする手段を有しないメモリーカードに対して、スイッチなど取扱者が任意に操作できる外的な手段により、メモリーカードリーダ装置１に対し書込み禁止であることを指示することによって、ＯＳやアプリケーションが自動的に書き換えようとしても、ＯＳやアプリケーションに対して書込み禁止であることを通知し、かつ、メモリーカードに対しては書込み動作を行わないため、取扱者の意図に反して、若しくは知らないうちにＯＳやアプリケーションがメモリーカードの内容を自動的に書換えることを防止することができる。
【図面の簡単な説明】
【図１】本発明の一実施例を示したブロック図。
【図２】本発明の書込み処理の一実施例を示したフローチャート。
【図３】本発明の読込み処理の一実施例を示したフローチャート。
【符号の説明】
１    本体
２    メモリーカードコントローラ
３    ホストＰＣ
Ａ，Ｂ，Ｃ    制御装置
ＳＷ１，ＳＷ２，ＳＷ３，ＳＷ４    書込み禁止スイッチ
【図１】
2004326501.tif 000003
【図２】
2004326501.tif 000004
【図３】
2004326501.tif 000005
(57)【要約】【課題】この発明は、墓石等を、高温水を用いた洗浄機で、美麗に洗浄し、作業時間が短縮でき、しかも、洗剤等の洗浄液等で環境汚染をすることがない墓石等の清掃方法を開発する事にある。【解決手段】墓石（１）の表面に付着した塵埃を、ブラシあるいは刷毛で落とす工程と、納骨室（Ｘ）に水が入らないようテープ等の養生材（２）で養生する工程と、墓石周囲にシート材（３）を敷設する工程と、墓石（１）を、高温水をノズル（４ａ）で噴射する高温洗浄機（４）を設ける工程と、洗浄後、墓石（１）を乾いたタオルでよく拭く工程と、この乾いた墓石（１）に、フッソ材（５）をコーティングする工程との、組み合わせからなることを特徴とする墓石等の清掃方法。【選択図】　　　　図２
2004041955.tif 000002
【特許請求の範囲】
【請求項１】
墓石（１）の表面に付着した塵埃を、ブラシあるいは刷毛で落とす工程と、納骨室（Ｘ）に水が入らないようテープ等の養生材（２）で養生する工程と、墓石周囲にシート材（３）を敷設する工程と、墓石（１）を、高温水をノズル（４ａ）で噴射する高温洗浄機（４）を設ける工程と、洗浄後、墓石（１）を乾いたタオルでよく拭く工程と、この乾いた墓石（１）に、フッソ材（５）をコーティングする工程との、組み合わせからなることを特徴とする墓石等の清掃方法。
【発明の詳細な説明】
【０００１】
【発明の属する技術分野】
本発明は、墓石等の清掃方法に関するものである。
【０００２】
【従来の技術】
従来、先祖の遺骨を埋設した墓地にある，墓石並びに花立て、灯籠等その附属物は、大抵は、墓参りの際に、墓石に水をかけたり、あるいは、水をかけた後、墓石の表面を乾いたタオルで拭きとる程度のものであった。
【０００３】
しかし、墓石は、大抵、野ざらし状態で風雨にさらされており、その表面に付着した汚れは、結構、酷いものであった。
【０００４】
また、その墓石の清掃も、夏はともかく、冬季には、杓に入れた水を墓石にかける際、杓の柄を墓石の上面より上に位置させて水を掛けなければ、流れた水が、杓の柄から手・腕を伝って流れるため、衣服が濡れてしまい、煩雑なものであった。
【０００５】
【発明が解決しようとする課題】
そこで、この発明は、墓石等を、高温水を用いた洗浄機で、美麗に洗浄し、作業時間が短縮でき、しかも、洗剤等の洗浄液等で環境汚染をすることがない墓石等の清掃方法を開発する事にある。
【０００６】
【課題を解決するための手段】
この発明は、洗剤等の洗浄剤を用いて清掃することではなく、高温水による洗浄機を用いて、墓石を迅速、かつ、簡単に清掃することにある。
【０００７】
【発明の実施の形態】
次に、この発明の一実施例を図１に基づいて詳細に説明すると、墓石（１）の表面に付着した塵埃を、ブラシあるいは刷毛で落とす工程と、納骨室（Ｘ）に水が入らないようテープ等の養生材（２）で養生する工程と、墓石周囲にシート材（３）を敷設する工程と、墓石（１）を、高温水をノズル（４ａ）で噴射する高温洗浄機（４）を設ける工程と、洗浄後、墓石（１）を乾いたタオルでよく拭く工程と、この乾いた墓石（１）に、フッソ材（５）をコーティングする工程からなることを特徴とする墓石等の清掃方法から構成される。
【０００８】
尚、養生材（２）とは、養生テープであり、納骨室（Ｘ）の隙間に貼着して、高温水の侵入を阻止するものであり、また、シート材（３）は、防水性シートであり、高温水を冷まして水はけをよくして放流するものである。
【０００９】
また、高温水をノズル（４ａ）で噴射する高温洗浄機（４）とは、灯油、あるいはガスを熱源とするものであり、吐出温度が１２０℃の高温水をノズル（４ａ）の先端口で水蒸気として汚れを剥離するものである。
【００１０】
【発明の効果】
この発明によると、墓石を高温水をノズル（４ａ）で噴射する高温洗浄機（４）を用いて、清掃するため、洗剤等の洗浄剤を用いる必要がなく、短時間に、汚れが落ちる等極めて有効なる効果を奏するものである。
【図面の簡単な説明】
【図１】この発明の一実施例を示す説明図である。
【図２】本発明の方法の一実施例を示すフローシートである。
【符号の説明】
１　墓石
２　テープ等の養生材
３　シート材
４ａ　ノズル
４　高温洗浄機
５　フッソ材
Ｘ　納骨室
【図１】
2004041955.tif 000003
【図２】
2004041955.tif 000004
(57)【要約】【課題】本発明が解決しようとする課題は、浄水器付きポットによって水道水中に含まれる特有の成分を除去させると共に、水道水（軟水）に不足しがちな天然ミネラル分を補えるようにする。【構成】側面に注ぎ口２と把手３を具えて上面を開放したポット本体１の上縁１’に、下端に浄水器５を接続した漏斗４を嵌着して蓋６を被せた浄水ポットにおいて、浄水器５内に浄水材を充填した浄水袋９を収容し、浄水袋９内の上部には、粗粒に形成した活性炭と塩素除去材を充填し、同袋の下部には、マイナスイオン発生セラミックスと天然サンゴ貝化石の細粒を充填したことを特長とするものである。【選択図】　　　図１
2004041948.tif 000002
【特許請求の範囲】
【請求項１】
側面に注ぎ口と把手を具えて上面を開放したポット本体の上縁に、下端に浄水器を接続した漏斗を着脱を自在にして嵌着し、漏斗の上からポット本体に蓋を被せた浄水ポットにおいて、前記浄水器内に、浄水材を充填した浄水袋を収容し、浄水袋内には、活性炭と塩素除去材とマイナスイオン発生セラミックスおよび天然サンゴ貝化石を充填したことを特徴とする浄水ポット。
【発明の詳細な説明】
【０００１】
【発明の属する技術分野】
この発明は、主として家庭用に用いられる浄水器付きポットに関し、ポット内に備える浄水器に収容する浄水材として、マイナスイオン発生セラミックスと活性炭と塩素除去材と共に、天然サンゴ貝化石を使用したしたことを特長とする。
【０００２】
【従来の技術】
ウオーターピッチャーとして使われるポット内に備える浄水器に、活性炭とか塩素除去材を浄水材として用いることは従来から行われている。
【０００３】
上記のような浄水材を用いていた従来の浄水ポットは、水道水中に含まれる特有の成分を除去したり、健康上好ましい成分を補給する上で有効であったが、従来の浄水材では軟水を使用しているわが国の水道水の欠点を除去できない点に問題があった。
【０００４】
【発明が解決しようとする課題】
以上のことから、本発明が解決しようとする課題は、浄水器によって水道水中に含まれる特有の成分を除去すると共に、水道水（軟水）に不足する天然ミネラル分を補えるようにした浄水器付きポットを提供することにある。
【０００５】
【課題を解決するための手段】
そこで本発明は、側面に注ぎ口と把手を具えて上面を開放したポット本体の上縁に、下端に浄水器を接続した漏斗を着脱を自在にして嵌着し、漏斗の上からポット本体に蓋を被せた浄水ポットにおいて、前記浄水器内に、浄水材を充填した浄水袋を収容し、浄水袋内には、活性炭と塩素除去材およびマイナスイオン発生セラミックスと天然サンゴ貝化石を充填したことを特徴とする浄水ポットを提供するものである。
【０００６】
上記のように構成した本発明ポットは、浄水器内に収容した浄水袋内では、従来の浄水ポットと同様に水道水から不要な成分を取り除くとともに、水道水に不足するカルシュウムとかマグネシュウムを天然サンゴ貝化石からの抽出により補給させた浄水を行うので、使用者の健康維持のために有効な給水ができる。
なお、実施例では、浄水袋内の上部に比較的に粒子の粗い浄水材を充填し、下部には細かい粒子の浄水材を充填することによって、上から下に浄水器内を通過する水の濾過速度が阻害されないようにもしている。
【０００７】
【実施例】
以下に、本発明の実施例を図面について説明する。
図１は、実施例の一部縦断側面図、図２は平面図である。
【０００８】
図において、１は、図示左側に注ぎ口２を、右側に把手３をそれぞれ一体形成し、上面を開放した広口の透明樹脂製のポット本体、４は、ポット本体１の上縁１’に着脱を自在にして嵌着する漏斗、５は漏斗４の下端に同じく着脱を自在にして嵌着した浄水器、６は漏斗４の上からポット本体１に被せた蓋、１０は蓋６を開けるときに用いられるようにした摘みである。
【０００９】
浄水器５は、漏斗４の下端内周のリブ４’に掛止される目皿７を備え、側面全周にスリット８を設け、虚線で示すように浄水袋９を収容している。
浄水袋９内の上部には、比較的に粗粒（２ｍｍ立方程度）にそれぞれ形成した活性炭と公知の塩素除去材を充填し、下部には、マイナスイオン発生セラミックスと天然サンゴ貝化石の細粒を充填して、漏斗５、目皿７を通り浄水器５を通過する水を浄水すると共に、天然サンゴ貝化石からそれぞれ抽出されるカルシュウム、マグネシュウムなどのミネラルを補給する。
【００１０】
なお、浄水袋９は、説明上、浄水器５の内周に密着していない状態に図示されているが、浄水器５の中を上から下へ通過する水の殆どが浄水袋９内を通過するように密に収容されていることは言うまでもない。
また、この実施例では目皿７には、ポットの使用上に不都合のないマイナスイオン発生セラミックス樹脂を成形材料中に配合している。
【００１１】
【発明の効果】
上記のようにして、ポット本体内に貯留された水を浄水と同時にミネラル補給するようにした本発明浄水ポットによれば、浄化と共に水道水に不足しているミネラル成分を補うことができるので、健康の維持にきわめて有用である。本発明には以上のように実用上の効果がある。
【図面の簡単な説明】
【図１】図１は実施例の一部縦断側面図
【図２】図２は実施例の平面図である。
【符号の説明】
１　ポット本体　　（１’　上縁）
２　注ぎ口
３　把手
４　漏斗　　（４’　リブ）
５　浄水器
６　蓋
７　目皿
８　スリット
９　浄水袋
１０　摘み
【図１】
2004041948.tif 000003
【図２】
2004041948.tif 000004